(57)【要約】      （修正有）【課題】入居者数の変化や入居者の入れ替わりにも簡単に対応することができ、しかも、配膳能率の向上及び配膳ミスの発生を防止することができる配膳システムを提供する。【解決手段】複数段、複数列の棚を備え、各棚それぞれ指示ランプ及び該指示ランプ消灯用スイッチを設置した配膳台車６と、この配膳台車６に付帯されて入居者の個人名、性別、配膳台車の棚番号を含む個人情報及び入居者個人毎に選択される主食、副食及び汁物の各食材を予め設定登録するタブレット型ＰＣ１０とを用いて、入居者に対して行う配膳システムで、配膳開始時に配膳食材の選択画面において主食、副食及び汁物の各食材を順次選択して、予め設定登録されている食材と一致したとき指示ランプを点灯させて対応する棚に選択した各食材を投入し、全食材の投入が完了したとき、棚の消灯用スイッチにより指示ランプを消灯させて複数の入居者に対応する複数種類の食材の投入完了を確認する。【選択図】図３
2018198843.tif 000002
【特許請求の範囲】
【請求項１】
複数段、複数列の棚を備え、これら棚にはそれぞれ指示ランプ及び該指示ランプ消灯用スイッチが設置されている配膳台車と、前記配膳台車に付帯されて各種入力情報を登録可能で、かつ、登録情報を画面上に呼び出し表示可能な記憶表示装置とを用いて、複数の入居者に対応して複数種類の食材の配膳を行う配膳システムであって、
前記記憶表示装置には、入居者の個人名、性別、前記配膳台車の棚番号を含む個人情報と、入居者個人毎に選択される主食、副食及び汁物の各食材とが、予め設定登録されており、
配膳開始に伴い、前記記憶表示装置の画面がこれから配膳する食材の選択画面に移行し、該食材の選択画面において主食、副食及び汁物の各食材を順次選択することにより、予め設定登録されている食材と一致する前記棚の指示ランプが点灯し、該指示ランプの点灯している前記棚に選択した各食材を投入し、
全ての食材の投入が完了したとき、前記棚の指示ランプ消灯用スイッチを操作して前記指示ランプを消灯させることにより、複数の入居者それぞれに対応なる複数種類の食材の投入完了を確認し、
その後、前記配膳台車を移動させて複数の入居者に対する配膳を行うことを特徴とする配膳システム。
【請求項２】
前記記憶表示装置として、タッチパネル式のタブレットＰＣを使用する請求項１に記載の配膳システム。
【請求項３】
配膳開始時に前記記憶表示装置の画面をタッチすることにより、該記憶表示装置の画面がこれから配膳する食材の選択画面に移行し、複数の入居者に対する選択食材の投入が完了したとき、前記記憶表示装置の画面に表示される投入完了ボタンをタッチすることにより配膳投入の完了を確認して投入忘れの有無を確認し、投入忘れがあったとき、前記画面上に警告を表示する請求項１又は２に記載の配膳システム。
【請求項４】
前記記憶表示装置には、個人情報として、入居者個人を認識するコードデータも設定登録されており、配膳時に前記コードデータと入居者個々の管理用コードとが一致するか否かを判定する判定装置を併有している請求項１ないし３のいずれかに記載の配膳システム。
【発明の詳細な説明】
【技術分野】
【０００１】
本発明は、例えば、複数の患者が入院している病院や複数の老人等が入居している老人施設等において、複数の入院患者や複数の入居者（以下、全て入居者という表現に統一する）に食材を配膳する場合に好適な配膳システムに関する。
【背景技術】
【０００２】
病院や老人施設等における複数の入居者に食材を配膳するにあたっては、入居者個々の体調や好み等によって配膳すべき食材の内容が異なる。具体的には、主食、副食及び汁物の各食材が複数の入居者に対して一様でなくばらばらであり、配膳担当者は、複数の入居者に適応すべく複数種類の食材を準備し、これら複数種類の食材を、図４に示すように、複数段、複数列の棚、例えば５段、４列の棚１ａ〜１ｅ、２ａ〜２ｅ、３ａ〜３ｅ、４ａ〜４ｅを備えた配膳台車６における前記各棚１ａ〜１ｅ、２ａ〜２ｅ、３ａ〜３ｅ、４ａ〜４ｅ（実際は棚に出し入れ自在に搭載されるトレー）に投入しなければならない。
【０００３】
このように複数の入居者それぞれに適応する複数種類の食材を準備して配膳台車６の各棚１ａ〜１ｅ、２ａ〜２ｅ、３ａ〜３ｅ、４ａ〜４ｅに間違いのないよう投入することができるようにするために、従来一般には、入居者個々の氏名、性別などの個人情報と、入居者個々の体調や好み等に対応して予め選択された主食、副食及び汁物の各食材とを一覧的に表記した配膳表を作成（用意）しておき、配膳時には、配膳担当者がその配膳表を見て入居者毎に適応する食材を一つ一つ確認しながら複数種類の食材を配膳台車６の各棚１ａ〜１ｅ、２ａ〜２ｅ、３ａ〜３ｅ、４ａ〜４ｅに投入するといった配膳方法が採用されていた。
【発明の概要】
【発明が解決しようとする課題】
【０００４】
しかしながら、上記のような従来の配膳方法による場合は、入居者の数が変化したり、入居者が入れ替わったりする度毎に、前述の配膳表を作成し直す必要があり、これに非常に面倒な手数及び時間を要するばかりでなく、実際の配膳時には、配膳担当者が配膳表を見て入居者毎に異なる食材を一つ一つ確認しながら配膳台車６の棚１ａ〜１ｅ、２ａ〜２ｅ、３ａ〜３ｅ、４ａ〜４ｅに投入しなければならないので、苦心及び手間がかかり、配膳能率が上がらない。また、配膳表の見間違いなどによって配膳ミスを発生する可能性もあるという問題があった。
【０００５】
本発明は上述の実情に鑑みてなされたもので、入居者数の変化や入居者の入れ替わりにも簡単に対応することができると共に、配膳担当者による配膳能率の向上及び配膳ミスの発生を防止することができる配膳システムを提供することを目的としている。
【課題を解決するための手段】
【０００６】
上記目的を達成するために、本発明に係る配膳システムは、複数段、複数列の棚を備え、これら棚にはそれぞれ指示ランプ及び該指示ランプ消灯用スイッチが設置されている配膳台車と、前記配膳台車に付帯されて各種入力情報を登録可能で、かつ、登録情報を画面上に呼び出し表示可能な記憶表示装置とを用いて、複数の入居者に対応して複数種類の食材の配膳を行う配膳システムであって、前記記憶表示装置には、入居者の個人名、性別、前記配膳台車の棚番号を含む個人情報と、入居者個人毎に選択される主食、副食及び汁物の各食材とが、予め設定登録されており、配膳開始に伴い、前記記憶表示装置の画面がこれから配膳する食材の選択画面に移行し、該食材の選択画面において主食、副食及び汁物の各食材を順次選択することにより、予め設定登録されている食材と一致する前記棚の指示ランプが点灯し、該指示ランプの点灯している前記棚に選択した各食材を投入し、全ての食材の投入が完了したとき、前記棚の指示ランプ消灯用スイッチを操作して前記指示ランプを消灯させることにより、複数の入居者それぞれに対応なる複数種類の食材の投入完了を確認し、その後、前記配膳台車を移動させて複数の入居者に対する配膳を行うことを特徴とする。
【発明の効果】
【０００７】
上記のごとき特徴構成を有する本発明に係る配膳システムによれば、入居者の数が変化したり、入居者が入れ替わったりした場合、記憶表示装置における個人情報及び入居者個人毎に選択される各食材の設定登録を削除または追加したり、更新するだけで複数の入居者に適応する複数種類の食材を簡単に変更することができる。しかも、実際の配膳時には、配膳担当者が前記記憶表示装置の選択画面に表示される各食材を選択する操作を行うだけで、設定登録されている食材と一致する一つ又は複数の棚の指示ランプが点灯されるので、その点灯した指示ランプの棚に選択した食材を投入するだけでよく、配膳能率の著しい向上を図ることができ、かつ、ランプ点灯による指示に基づく食材の投入であるために、配膳ミスの発生も防止することができるという効果を奏する。
【０００８】
本発明に係る配膳システムにおいて、請求項２に記載のように、前記記憶表示装置として、タッチパネル式のタブレットＰＣを使用することが好ましい。
この場合は、入居者数の変化や入居者の入れ替わりがあった場合、タブレットＰＣの表示画面をタッチ操作するだけで、複数の入居者に対応する複数種類の食材をより簡単に変更することができるとともに、配膳時における食材の選択操作も簡単で配膳能率の一段の向上を達成することが可能である。
【０００９】
また、本発明に係る配膳システムにおいて、請求項３に記載のように、配膳開始時に前記記憶表示装置の画面をタッチすることにより、該記憶表示装置の画面がこれから配膳する食材の選択画面に移行し、複数の入居者に対する選択食材の投入が完了したとき、前記記憶表示装置の画面に表示される投入完了ボタンをタッチすることにより配膳投入の完了を確認して投入忘れの有無を確認し、投入忘れがあったとき、前記画面上に警告を表示することが好ましい。
この場合は、複数の入居者に対する選択食材の投入完了に伴い記憶表示装置の画面に表示される投入完了ボタンをタッチするだけで投入忘れの有無を確認し、投入忘れがあったとき、前記画面上に警告を表示することにより、食材の投入忘れをなくして配膳ミス及び配膳トラブルの発生を防ぐことができる。
【００１０】
さらに、本発明に係る配膳システムにおいて、請求項４に記載のように、前記記憶表示装置に、個人情報として、入居者個人を認識するコードデータも設定登録されており、配膳時に前記コードデータと入居者個々の管理用コードとが一致するか否かの判定する判定装置を併有していることが好ましい。
この場合は、配膳時に前記判定装置を配膳担当者が携行し、該判定装置により前記記憶表示装置に設定登録されているコードデータと入居者個々の管理用コードとが一致するか否かを判定し、一致の判定結果により入居者個人を認識(特定)して該特定入居者に配膳台車の該当棚に投入した食材を間違いなく渡すことが可能で、配膳ミスの発生を確実に防止することができる。
【図面の簡単な説明】
【００１１】
【図１】本発明の実施の形態に係る配膳システムにおける主要構成である配膳台車の正面図である。
【図２】同上配膳システムにおける情報の設定登録方式の概要を示す説明図である。
【図３】同上配膳システムにおける食材投入指示方式の概要を示す説明図である。
【図４】従来の配膳台車の正面図である。
【発明を実施するための最良の形態】
【００１２】
以下、本発明の実施の形態を図面にもとづいて説明する。
図１は本発明の実施の形態に係る配膳システムにおける主要構成である配膳台車の正面図である。
本実施の形態の配膳台車６は、前後左右に計４つのキャスター式走行輪７を有する台車本体８に上下方向に複数段（５段で示す）且つ水平方向に複数列（４列で示す）の棚１ａ〜１ｅ、２ａ〜２ｅ、３ａ〜３ｅ、４ａ〜４ｅを備えていると共に、それら各棚１ａ〜１ｅ、２ａ〜２ｅ、３ａ〜３ｅ、４ａ〜４ｅにはそれぞれ指示ランプ及び該指示ランプ消灯用スイッチ１１ａ〜１１ｅ、１２ａ〜１２ｅ、１３ａ〜１３ｅ、１４ａ〜１４ｅが固定設置されている。なお、本実施の形態では、指示ランプとその消灯用スイッチが一体化されたもので示すが、ランプとスイッチとが別体のものであってもよい。
【００１３】
前記配膳台車６における台車本体８の上部には、該配膳台車６に付帯されて各種情報を登録可能で、かつ、その登録情報を画面上に呼び出し表示可能な記憶表示装置として、タッチパネル方式のタブレット型ＰＣ１０が設置されている。このタブレット型ＰＣ１０には、入居者個人を認識するコードデータとしてのバーコードデータが設定登録されており、配膳時に前記バーコードデータと入居者個々の管理用コードとが一致するか否かを判定する判定装置としてのバーコードリーダー９が別途、準備されている。上記したタブレット型ＰＣ１０と前記配膳台車６とバーコードリーダー９とを用いて、病院や老人施設等における複数の入居者に対応して複数種類の食材の配膳を行う配膳システムが構築されており、以下、当該配膳システムの詳細について説明する。
【００１４】
前記タブレット型ＰＣ１０には、図２に示すように、登録情報として、複数の入居者個々において、個人名、性別、前記配膳台車６における割当て棚番号、例えば１ａや４ｅ、アレルギー等の特徴、入居者個人を認識するためのコードデータの一例としてのバーコードデータといった個人情報の登録（ステップＳ１）と、入居者個人毎に選択される主食、副食及び汁物の各食材の登録（ステップＳ２〜Ｓ４）とが順番に行われる。
【００１５】
ここで、ステップＳ２の主食登録は、タブレット型ＰＣ１０の画面１０Ｓ上に表示される
１．ごはん：通常、おかゆ、小盛り
２．麺：そばアレルギー、うどん
３．ぱん：食パンのみ
のうちから一つが選択されて入力される。また、ステップＳ４の副食登録は、前記画面１０Ｓ上に表示される
１．肉：牛肉ＮＧ、一口鶏肉
２．魚：一口、さばＮＧ
３．煮物：刻み
のうちから一つが選択されて入力される。更に、ステップＳ３の汁物登録は、前記画面１０Ｓ上に表示される
１．味噌汁：ぬるめ、とうふＮＧ
２．スープ：とろみ
３．あんかけ：ぬるめ
のうちから一つが選択されて入力される。
【００１６】
上記のような設定登録が完了したならば、登録完了処理として、入力情報を画面１０Ｓ上に逐次読み出してチエックし、間違いや問題がなければ登録を完了し、ＮＧがあれば注意警報を表示して上述の各登録をやり直す（ステップＳ５）。
【００１７】
次に、上記のように、タブレット型ＰＣ１０への各種情報の設定登録が完了した配膳システムを用いて実際に配膳する方法について、図３を参照しながら説明する。
まず、配膳開始に際して配膳台車６を調理場や配膳準備室などに移動させて停止する。この状態で、前記タブレット型ＰＣ１０を起動させて、その画面１０Ｓに表示される投入開始ボタンを押し操作することで、前記画面１０Ｓが食材の選択画面に移行する（ステップＳ１１）。
【００１８】
次に、配膳する食材を選択する。具体的には、これから配膳する主食、副食及び汁物の各食材を前述の食材登録時と同様に前記画面１０Ｓ上に表示されるメニューから選択する（ステップＳ１２）。この各食材の選択によって、配膳台車６の棚１ａ〜１ｅ、２ａ〜２ｅ、３ａ〜３ｅ、４ａ〜４ｅのうち選択した食材を投入すべき１つ又は複数の棚の指示ランプが点灯する（ステップＳ１３）。
【００１９】
次いで、配膳台車６の棚１ａ〜１ｅ、２ａ〜２ｅ、３ａ〜３ｅ、４ａ〜４ｅのうち前記指示ランプの点灯している棚（実際は食材トレー）に選択した各食材をそれぞれ投入した後、各棚１ａ〜１ｅ、２ａ〜２ｅ、３ａ〜３ｅ、４ａ〜４ｅに設置されている指示ランプ消灯用スイッチ１１ａ〜１１ｅ、１２ａ〜１２ｅ、１３ａ〜１３ｅ、１４ａ〜１４ｅのうち各食材の投入が完了した棚の指示ランプ消灯用スイッチを押し操作することにより、該当する指示ランプを消灯する（ステップＳ１４）。
【００２０】
ここで、間違った消灯用スイッチを押し操作した場合は、ブザーあるいは画面１０Ｓ上の映像によって警告表示して再度、指示ランプの点灯している全ての棚に対する食材投入を繰り返す。
【００２１】
そして、選択した各食材の投入が完了したならば、前記タブレット型ＰＣ１０の画面１０Ｓ上に表示される投入完了ボタンをタッチ操作して食材投入の完了を確認する（ステップＳ１５）。
【００２２】
ここで、前記指示ランプの全てが消灯している場合は、正常な完了として画面１０Ｓが食材の選択画面に復帰する一方、前記指示ランプの全てが消灯していない場合は、警告を表示し、指示ランプの点灯している棚に対する食材投入を行って、正常な完了に導く。
【００２３】
そして、配膳台車６の各棚１ａ〜１ｅ、２ａ〜２ｅ、３ａ〜３ｅ、４ａ〜４ｅ全てに対する各食材の投入が正常に完了したならば、配膳台車６を移動させて複数の入居者に対する配膳を行う。
【００２４】
以上のように構成される本実施の形態の配膳システムによれば、入居者の数が変化したり、入居者が入れ替わったりした場合、タブレット型ＰＣ１０における個人情報及び入居者個人毎に選択される各食材の設定登録を削除または追加したり、更新するだけで複数の入居者に適応する複数種類の食材を簡単に変更することができる。また、実際の配膳時には、配膳担当者が前記タブレット型ＰＣ１０の画面１０Ｓに表示される各食材を選択するタッチ操作を行うだけで、設定登録されている食材と一致する一つ又は複数の棚の指示ランプが点灯されるので、その点灯した指示ランプの棚に選択した食材を投入すればよく、配膳能率の著しい向上を図ることができ、かつ、ランプ点灯による指示に基づく食材の投入であるために、配膳ミスの発生も防止することができる。
【００２５】
また、配膳台車６の移動に伴う複数の入居者に対する実際の配膳時には、配膳担当者が携行しているバーコードリーダー９により前記タブレット型ＰＣ１０に設定登録されているバーコードデータと例えば病室の入口やベッドなどに取り付けられている入居者個々の管理用コードとが一致するか否かを判定し、一致の判定結果により入居者個人を認識(特定)して該特定入居者に配膳台車６の該当棚に投入した食材を間違いなく渡すことで、配膳ミスの発生を防止することができる。
【００２６】
なお、上記実施の形態のように、各種入力情報の登録及びその登録情報を画面上に呼び出し表示可能な記憶表示装置として、タッチパネル式のタブレットＰＣを使用することで、入居者数の変化や入居者の入れ替わりがあった場合、画面をタッチ操作するだけで、複数の入居者に対応する複数種類の食材をより簡単かつスピーディに変更することができるとともに、配膳時における食材の選択操作も簡単で配膳能率の一段の向上を達成することが可能である。但し、記憶表示装置としては、タブレット型ＰＣに限定されることなく、例えば、ノート型ＰＣを用いてもよい。
【符号の説明】
【００２７】
１ａ〜１ｅ、２ａ〜２ｅ、３ａ〜３ｅ、４ａ〜４ｅ  棚
６  配膳台車
１０  タブレット型ＰＣ（記憶表示装置）
１０Ｓ  画面
１１ａ〜１１ｅ、１２ａ〜１２ｅ、１３ａ〜１３ｅ、１４ａ〜１４ｅ    指示ランブ消灯用スイッチ
【図１】
2018198843.tif 000003
【図２】
2018198843.tif 000004
【図３】
2018198843.tif 000005
【図４】
2018198843.tif 000006